(57)【特許請求の範囲】
【請求項１】
可撓性を有する長尺状の部材であって、
長尺方向の一端にその先端の延長方向へ延びる複数の棒状部材を有する塗布部と、
指でつまんで持つためのつまみ部と、
を備え、
前記塗布部と前記つまみ部とが前記つまみ部よりも厚みの薄い板状のヘラ部を介して連結され、
前記つまみ部における幅方向中央部には長尺方向に沿って凹部が形成されていること
を特徴とする毛髪化粧料塗布具。
【請求項２】
前記ヘラ部の厚みに対する前記つまみ部の厚みの比が１．１〜１０の範囲内であること
を特徴とする請求項１に記載の毛髪化粧料塗布具。
【請求項３】
前記ヘラ部の前記つまみ部を挟んだ反対側が前記つまみ部よりも厚みの薄い板状の柄部として形成されていること
を特徴とする請求項１又は請求項２に記載の毛髪化粧料塗布具。
【請求項４】
前記柄部の厚みに対する前記つまみ部の厚みの比が１．１〜１０の範囲内であること
を特徴とする請求項３に記載の毛髪化粧料塗布具。
【請求項５】
長尺方向に渡って全体的に湾曲しており、前記つまみ部は湾曲内側に膨らんでいること
を特徴とする請求項３又は請求項４に記載の毛髪化粧料塗布具。
【発明の詳細な説明】
【技術分野】
【０００１】
本発明は、毛髪化粧料塗布具に関するものである。
【背景技術】
【０００２】
従来、ヘアカラーリング剤、脱色剤、毛髪変形剤などの毛髪化粧料を毛髪に塗布するための毛髪化粧料塗布具として、ブラシ、コーム、ハケなどが用いられる。なお、特許文献１には、ハケとブラシとを上下逆方向に設けた染毛用塗布具が示されている。
【先行技術文献】
【特許文献】
【０００３】
【特許文献１】実開平４−８１５３６号公報
【発明の概要】
【発明が解決しようとする課題】
【０００４】
ハケは線状（毛状）部材を束ねて塗布部を形成したものであるため、複数の棒状部材で塗布部を形成したブラシやコームに比べて塗布部自体が変形しやすく、生え際やヒゲなどを塗布する際に皮膚への刺激が小さいが、毛髪に塗布した毛髪化粧料を必要以上にそぎ取ってしまうため、塗布性に問題があった。
【０００５】
この点、ブラシやコームであれば毛髪化粧料が適度に毛髪に残るため塗布性は良好であるが、皮膚への刺激が大きいという問題があった。
本発明は、こうした問題にかんがみてなされたものであり、皮膚への刺激が小さくかつ塗布性が良好な毛髪化粧料塗布具を提供することを目的としている。
【課題を解決するための手段】
【０００６】
上記目的を達成するためになされた本発明の毛髪化粧料塗布具は、可撓性を有する長尺状の部材であって、長尺方向の一端にその先端の延長方向へ延びる複数の棒状部材を有する塗布部と、指でつまんで持つためのつまみ部とを備え、塗布部とつまみ部とがつまみ部よりも厚みの薄い板状のヘラ部を介して連結されている。
【０００７】
なお、ここでいう板状とは、薄く平たい形状を意味し、外面（厚み方向と交わる面）が平面状のものはもちろん、曲面状のものも含まれる。また、厚みが一定のものはもちろん、一定に近いもの（例えば外面の一方が平面状で他方が曲面状のもの）も含まれる。
【０００８】
このような毛髪化粧料塗布具によれば、塗布部がブラシ又はコームとして機能することにより毛髪化粧料を毛髪に塗布することができ、その際にヘラ部が撓むことにより、皮膚への刺激を緩和することができる。しかも、ヘラ部の外面を利用して毛髪に塗布した毛髪化粧料を効率よく伸ばすことができる。
【０００９】
具体的には、例えば、ヘラ部の厚みに対するつまみ部の厚みの比が１．１〜１０の範囲内であるとよい。このような毛髪化粧料塗布具によれば、ヘラ部を良好に撓ませることができる。
【００１０】
ところで、このような毛髪化粧料塗布具を例えば塗布部を上向きにして使用した場合、塗布部から毛髪化粧料が流れてくることが考えられる。そこで、例えば、つまみ部における幅方向中央部に長尺方向に沿って凹部が形成されていてもよい。このような毛髪化粧料塗布具によれば、つまみ部へ流れてきた毛髪化粧料がつまみ部の幅方向外側から垂れ落ちてしまうことを防ぐことができる。しかも、凹部に指を置くことでつまみ部をつまみやすくすることができる。
【００１１】
一方、例えば、ヘラ部のつまみ部を挟んだ反対側がつまみ部よりも厚みの薄い板状の柄部として形成されていてもよい。このような毛髪化粧料塗布具によれば、柄部の外面を利用して毛髪に塗布した毛髪化粧料を伸ばすことができる。
【００１２】
そして、このような毛髪化粧料塗布具では、例えば、柄部の厚みに対するつまみ部の厚みの比が１．１〜１０の範囲内であるとよい。このような毛髪化粧料塗布具によれば、柄部を良好に撓ませることができる。
【００１３】
また、このような毛髪化粧料塗布具では、柄部の厚みが薄いため把持しにくくなることが考えられる。そこで、例えば、長尺方向に渡って全体的に湾曲しており、つまみ部が湾曲内側に膨らんでいてもよい。このような毛髪化粧料塗布具によれば、つまみ部の湾曲内側の面と柄部の湾曲外側の面とで把持することにより、厚みのある部材と同様の感覚で把持しやすくすることができる。
【００１４】
なお、以上説明した構成に関し、つまみ部の厚みについては最も厚い部分（最も撓みにくい部分）の厚みを基準とし、ヘラ部及び柄部の厚みについては最も薄い部分（最も撓みやすい部分）の厚みを基準とすることが作用効果の面から好ましい。
【図面の簡単な説明】
【００１５】
【図１】実施形態の毛髪化粧料塗布具の斜視図である。
【図２】実施形態の毛髪化粧料塗布具の外観形状の説明図であり、（ａ）は平面図、（ｂ）は側面図、（ｃ）は背面図である。
【図３】変形例の毛髪化粧料塗布具の側面形状の説明図であり、（ａ）はヘラ部の湾曲内側に溝部を形成したもの、（ｂ）はヘラ部が湾曲内側に膨らんだ形状のものである。
【発明を実施するための形態】
【００１６】
以下、本発明が適用された実施形態について、図面を用いて説明する。
図１は実施形態の毛髪化粧料塗布具１０の斜視図である。また、図２はこの毛髪化粧料塗布具１０の外観形状の説明図であり、（ａ）は平面図、（ｂ）は側面図、（ｃ）は背面図である。
【００１７】
この毛髪化粧料塗布具１０は、ヘアカラーリング剤、脱色剤、毛髪変形剤などといったクリーム状や液状等の毛髪化粧料を毛髪（特に生え際やヒゲなどの短い毛髪）に塗布するためのものである。具体的には、この毛髪化粧料塗布具１０は、可撓性を有する長尺板状の部材であって、側面視（図２（ｂ））で長尺方向に渡って全体的にやや湾曲した形状となっており、長尺方向の一端にはブラシ部２０が形成されている。また、長尺方向中央部にはつまみ部４０が形成されており、ブラシ部２０とつまみ部４０とはヘラ部３０を介して連結されている。さらに、つまみ部４０を挟んだヘラ部３０の反対側には柄部５０が形成されている。なお、これらブラシ部２０、ヘラ部３０、つまみ部４０及び柄部５０は、合成樹脂により一体成型されている。
【００１８】
つまみ部４０は、毛髪化粧料塗布具１０の使用時に指（例えば親指と人差し指）でつまんで持つための部分である。このつまみ部４０は、側面視で湾曲内側（図２（ｂ）でいう下方）に板厚が膨らんだ形状（幅方向の厚みは一定）となっており、ヘラ部３０や柄部５０に比べて板厚が厚く形成されている。なお、つまみ部４０の厚み（つまみ部４０において最も厚い部分の厚みの意味。以下同じ。）は３．０〜１０．０ｍｍの範囲内であることが好ましく、本実施形態では５．０ｍｍとしている。
【００１９】
また、つまみ部４０は、平面視（図２（ａ））で長尺方向中央へ向かって徐々に幅が狭くなるように形成されており、そのくびれ部には複数本（この例では５本）の線状凸部からなる滑り止め４１が全周に渡って形成されている。さらに、つまみ部４０の外面（湾曲外側の面）４２には、長尺方向に沿って幅方向中央部に凹んだ凹部４３が形成されている（図１の部分拡大図参照）。
【００２０】
一方、ヘラ部３０は、平面視で矩形状（詳細にはつまみ部４０側からブラシ部２０側に向かって徐々に幅が狭くなる形状）の平板状の部分であり、板厚が一定であってつまみ部４０よりも板厚が薄く、ブラシ部２０に外力が加わった際に撓むことで皮膚への刺激を緩和する役割を果たす。
【００２１】
なお、ヘラ部３０の幅及び厚みはそれぞれ１５．０〜２５．０ｍｍ、１．０〜３．０ｍｍの範囲内であることが好ましく、本実施形態では、幅狭部（ブラシ部２０側）の幅及び厚みをそれぞれ１８．５ｍｍ、１．７ｍｍとし、幅広部（つまみ部４０側）の幅及び厚みをそれぞれ２０．０ｍｍ、１．７ｍｍとしている。ここで、ヘラ部３０の厚みに対する幅の比（幅／厚み）は、６．０〜２５．０（好ましくは８．０〜２０．０）の範囲内であることが好ましく、本実施形態では幅狭部が１０．９（＝１８．５／１．７）、幅広部が１１．７（＝２０．０／１．７）となっている。また、ヘラ部３０を良好に撓ませるには、ヘラ部３０の厚みに対するつまみ部４０の厚みの比が１．１〜１０．０（好ましくは２．０〜８．０）の範囲内であることが好ましく、本実施形態では２．９４（＝５．０／１．７）となっている。
【００２２】
また、ヘラ部３０は、その外面（湾曲外側の面）３１の面積が広いため、毛髪に塗布した毛髪化粧料を伸ばすのに適している。また、その側面３２が直線状に形成されているため、混合トレイ等に残った毛髪化粧料をすくい取りやすい。
【００２３】
一方、ブラシ部２０は、ヘラ部３０よりも板厚を増した平板状の基台部２１と、基台部２１における先端側の板厚面から先端の延長方向（長尺方向）へ延びる複数（本実施形態では７本×２列＝１４本）の棒状部材２２，２２，…とからなる。なお、基台部２１の厚みは３．０〜７．０ｍｍの範囲内であることが好ましく、本実施形態では４．５ｍｍとしている。また、ヘラ部３０を良好に撓ませるには、ヘラ部３０の厚みに対する基台部２１の厚みの比が１．０〜７．０の範囲内であることが好ましく、本実施形態では２．６５（＝４．５／１．７）となっている。
【００２４】
また、基台部２１は、ヘラ部３０に対して湾曲内側に折曲されている。なお、ヘラ部３０に対する基台部２１の折曲角度は１００〜１７０°の範囲内であることが好ましく、本実施形態では１４６°に設定されている。
【００２５】
棒状部材２２，２２，…は、同一形状同一長さであって互いに平行に複数突出しており、先端が同一平面上に位置する。ここで、幅方向端部の棒状部材２２は、基台部２１の板厚面における幅方向最端部に形成されている。つまり、棒状部材２２、基台部２１及びヘラ部３０の幅方向端部が平面視で直線状に（段差を設けずに）形成されており、混合トレイ等に残った毛髪化粧料を毛髪化粧料塗布具１０の側面ですくい取りやすくなっている。
【００２６】
また、側面視においても同様に、棒状部材２２は、基台部２１の板厚面における厚み方向最端部に形成されている。つまり、棒状部材２２及び基台部２１の厚み方向端部が側面視で直線状に（段差を設けずに）形成されており、ヘラ部３０の外面３１で毛髪化粧料を毛髪に塗布する際に基台部２１の先端角部で毛髪化粧料がそぎ取られにくくなっている。
【００２７】
一方、柄部５０は、つまみ部４０を指でつまんだ際に他の指や手のひらに当接することで毛髪化粧料塗布具１０を安定的に把持できるようにするための部分であり、平面視で矩形状（詳細にはつまみ部４０側から先端部５１側に向かって徐々に幅が狭くなる形状）の板状（若干湾曲した曲板状）に形成されている。また、柄部５０は、先端部５１がヘラ部３０よりも幅が狭く形成されているため、毛髪に塗布した毛髪化粧料を細かな部分に伸ばすのに適している。特に、柄部５０は、板厚が一定であってつまみ部４０よりも板厚が薄いため、柄部５０の先端部５１に外力が加わった際に撓むことで皮膚への刺激が緩和される。
【００２８】
なお、柄部５０の幅及び厚みはそれぞれ１０．０〜１６．０ｍｍ、１．０〜３．０ｍｍ（幅／厚み＝３．３〜１６．０）の範囲内であることが好ましく、本実施形態では、幅狭部（先端側）の幅及び厚みをそれぞれ１０．５ｍｍ、１．５ｍｍとし、幅広部（つまみ部４０側）の幅及び厚みをそれぞれ１５．０ｍｍ、１．５ｍｍとしている。また、柄部５０を良好に撓ませるには、柄部５０の厚みに対するつまみ部４０の厚みの比が１．１〜１０．０の範囲内であることが好ましく、本実施形態では３．３３（＝５．０／１．５）となっている。
【００２９】
以上説明したように、本実施形態の毛髪化粧料塗布具１０では、ブラシ部２０により毛髪化粧料を毛髪に塗布するため、ハケのように毛髪に塗布した毛髪化粧料を必要以上にそぎ取ってしまうことがなく、効率よく塗布することができる。特に、ブラシ部２０がヘラ部３０に対して湾曲内側に折曲されているため、極力腕を上げずに自然な持ち方で塗布作業を行うことができる。
【００３０】
また、この毛髪化粧料塗布具１０では、ブラシ部２０とつまみ部４０とがこれらに比べて板厚の薄いヘラ部３０によって連結されているため、ブラシ部２０により毛髪化粧料を毛髪に塗布する際に、ヘラ部３０の適度な撓みを感じつつ毛髪化粧料をしっかりと塗布することができ、皮膚への刺激を緩和することができる。特に、つまみ部４０がヘラ部３０よりも板厚が厚く形成されているため、毛髪化粧料塗布具１０が全体的に撓むのではなく、ヘラ部３０を集中的に撓ませることができる。しかも、ヘラ部３０の外面を利用して毛髪に塗布した毛髪化粧料を効率よく伸ばすことができる。また、棒状部材２２、基台部２１及びヘラ部３０の幅方向端部が平面視で直線状に形成されているため、直線状の部分をヘラとして用いることにより、混合トレイ等に残った毛髪化粧料を容易にすくい取ることができる。
【００３１】
また、この毛髪化粧料塗布具１０では、長尺方向に渡って全体的に湾曲しており、つまみ部４０が湾曲内側に膨らんでいるため、つまみ部４０の湾曲内側の面と柄部５０の湾曲外側の面とで把持することにより、柄部５０自体の板厚が薄くても厚みのある部材と同様の感覚で把持することができる。また、つまみ部４０の外面４２における幅方向中央部に長尺方向に沿って凹部４３が形成されているため、つまみ部４０へ流れてきた毛髪化粧料がつまみ部４０の幅方向外側から垂れ落ちないようにガイドすることができる。しかも、凹部に指を置くことでつまみ部４０をつまみやすくすることができる。また、つまみ部４０には、平面視でくびれ部が形成されており、板厚も厚いため、側面をつまむ場合にも安定して把持することができる。
【００３２】
また、この毛髪化粧料塗布具１０では、柄部５０がヘラ部３０よりも幅が狭く、かつ、つまみ部４０よりも板厚が薄く形成されているため、その先端部を利用して毛髪化粧料を細かな部分に効率よく伸ばすことができ、その際の皮膚への刺激を緩和することができる。
【００３３】
なお、本実施形態では、毛髪化粧料塗布具１０、つまみ部４０、ヘラ部３０、柄部５０及びブラシ部２０が、特許請求の範囲の毛髪化粧料塗布具、つまみ部、ヘラ部、柄部及び塗布部にそれぞれ相当する。
【００３４】
以上、本発明の実施形態について説明したが、本発明は、上記実施形態に限定されることなく、種々の形態を採り得ることは言うまでもない。
例えば、上記実施形態では、棒状部材２２，２２，…が２列設けられたブラシ部２０を塗布部として例示したが、これに限定されるものではなく、棒状部材を３列以上設けたものとすることも可能であり、逆に、棒状部材を１列のみ設けたもの（コーム）とすることも可能である。
【００３５】
また、上記実施形態では、ヘラ部３０の厚みを一定に形成しているが、これに限定されるものではない。例えば、図３（ａ）に示すように、ヘラ部３０の湾曲内側の面に幅方向に沿った溝部３３を形成してもよい。このような形状（換言すれば、板厚の異なる板状部が長尺方向に沿って交互に連結された形状）にすれば、溝部３３が形成された部分においてヘラ部３０をより撓みやすくすることができる。一方、図３（ｂ）に示すように、ヘラ部３０の湾曲内側が膨らんだ形状（幅方向の厚みは一定）にすれば、ヘラ部３０に指を固定しやすくすることができる。なお、上記実施形態で説明したヘラ部３０の厚みに関する好ましい範囲は、ヘラ部３０の撓みやすさに関するものであるため、図３（ａ），（ｂ）のようにヘラ部３０の厚みが一定でない場合には、ヘラ部３０において最も薄い部分（最も撓みやすい部分）の厚みをヘラ部３０の厚みと捉えればよい。なお、この点は柄部５０についても同様であり、柄部５０の厚みが一定でない場合には、柄部５０において最も薄い部分（最も撓みやすい部分）の厚みを柄部５０の厚みと捉えればよい。
【００３６】
また、上記実施形態では、柄部５０が板状に形成されたものを例示したが、これに限定されるものではなく、板状以外の厚みのある形状とすることも可能である。
さらに、上記実施形態では、毛髪化粧料塗布具１０の材質として合成樹脂を例示したが、これに限定されるものではなく、例えばエラストマーを用いることも可能である。
【符号の説明】
【００３７】
１０…毛髪化粧料塗布具、２０…ブラシ部、２１…基台部、２２…棒状部材、３０…ヘラ部、３１…外面、３２…側面、４０…つまみ部、４１…滑り止め、４２…外面、４３…凹部、５０…柄部、５１…先端部
【図１】
0005524682.tif 000002
【図２】
0005524682.tif 000003
【図３】
0005524682.tif 000004